(57)【要約】【課題】ローカル番組録画器が例えばハードディスクドライブを記録媒体とすると、その記録容量は限られていて番組を記録し続けると容量不足で記録不可となるため所定の番組は消去するしかなく保存できない。【解決手段】あらかじめマスター番組録画器１０５が録画している番組の中から保存したい番組を選択しパッケージメディア製作器１０４で保存したい仕様でパッケージメディアを製作し保存する。【選択図】  図１
2004304219.tif 000002
【特許請求の範囲】
【請求項１】
放送波の全チャンネルを選曲する全チャンネルチューナと、ローカル録画制御器の録画制御情報をインターネット又は専用回線を介して通信をするマスター録画制御器と、前記マスター録画制御器の制御により前記全チャンネルチューナで選曲する番組を録画するマスター番組録画器と、前記マスター録画制御器の制御により前記マスター番組録画器に録画番組の一部から所定の仕様のパッケージメディアを製作するパケージメディア製作器と、放送波の所定のチャンネルを選曲するチューナと、前記マスター録画制御器の録画予約情報などの録画制御情報をインターネット又は専用回線を介して通信をするローカル録画制御器と、前記ローカル録画制御器の制御により前記チューナで選曲する番組を録画するローカル番組録画器と、を備えた録画装置。
【請求項２】
マスター番組録画器は、ハードディスクドライブを録画媒体とする、請求項１記載の録画装置。
【請求項３】
ローカル番組録画器は、ハードディスクドライブを録画媒体とする、請求項１記載の録画装置。
【請求項４】
パッケージメディア製作器の製作するパッケージメディアはＤＶＤビデオとする、請求項１記載の録画装置。
【請求項５】
マスター録画制御器とローカル録画制御器が通信する録画制御情報は、ローカル番組録画器に録画する録画予約情報とする、請求項１記載の録画装置。
【請求項６】
マスター録画制御器とローカル録画制御器が通信する録画制御情報は、ローカル番組録画器に録画する録画予約情報及び電子番組表に付属する番組キーワード情報とする、請求項１記載の録画装置。
【発明の詳細な説明】
【０００１】
【発明の属する技術分野】
本発明は、地上波放送、衛星放送などの放送番組をハードディスクドライブ等に録画再生する録画装置に関するものである。
【０００２】
【従来の技術】
従来の録画装置は、ローカル番組録画器の録画媒体が例えばハードディスクドライブの場合ハードディスクの容量一杯に録画すると所定の番組を消去するかハードディスクドライブを増設している（例えば特許文献１参照）。
【０００３】
以下に、従来の録画装置について説明する。
【０００４】
図２は従来の録画装置のブロック図を示すものである。マスター録画制御器２０１はローカル録画制御器２０５の録画制御情報を接続装置２０２及び２０４によりインターネット又は専用回線２０３を介して通信をする。録画制御情報とは、ローカル番組録画器２０８に録画する録画予約情報及び電子番組表に付属する番組キーワード情報である。例えば、マスター録画制御器２０１を管理する甲は、ローカル録画制御器２０５を所有する乙と契約を結び、乙が甲に契約料を支払うことにより甲は乙にサービスを提供する。サービスとは、例えば、甲は乙にとって視聴価値のありそうな番組情報を乙に提供したり、乙の嗜好する番組キーワードをもとに関連番組情報を収集し、ローカル番組録画器２０８に録画する番組予約情報を提供することである。チューナ２０７は受信アンテナ２０６で受信する地上波放送、衛星放送等の放送波からローカル録画制御器２０５の制御により所定のチャンネルを選局する。その選局したチャンネルの所定の番組をローカル録画制御器２０５の制御によりローカル番組録画器２０８に録画する。ローカル番組録画器２０８に録画した番組をローカル録画制御器２０５の制御により読み出し、映像音声再生器２０９で再生し、テレビ２１０で視聴する。
【０００５】
【特許文献１】
特開２００２−６４７６８号公報
【０００６】
【発明が解決しようとする課題】
しかしながら上記従来の構成では、以下のような課題を有していた。ローカル番組録画器が例えばハードディスクドライブを記録媒体とすると、その記録容量は限られていて番組を記録し続けると容量不足で記録不可となるため所定の番組は消去するしかなく保存できない。容量追加のためハードディスクドライブを追加することもできるが、それでもいずれ容量不足になる。また、ハードディスクドライブに加えて記録可能なディスクドライブ、例えばＤＶＤ−ＲＡＭ（Ｄｉｇｉｔａｌ  Ｖｉｄｅｏ  Ｄｉｓｃ  −  Ｒａｎｄｏｍ  Ａｃｃｅｓｓ  Ｍｅｍｏｒｙ）、も備えたローカル番組録画器である場合は、ハードディスクからディスクにコピーし保存することは可能であるが、一般にその保存手段は番組の編集作業を伴い煩雑である。更に、ハードディスクに録画する際はアナログ放送波であれば通常ＭＰＥＧ（Ｍｏｖｉｎｇ  Ｐｉｃｔｕｒｅ  Ｅｘｐｅｒｔｓ  Ｇｒｏｕｐ）等のデジタル圧縮技術を用いデジタルビットストリームとして録画するが、単に１回のみ視聴する目的でかつハードディスクの録画容量の制限から高い圧縮率で圧縮すると、番組を保存するには不適切な画質のものとなり、保存しての再視聴には耐えられなくなり保存できない。
【０００７】
本発明は上記従来の課題を解決するもので、ハードディスクドライブの容量を超え消去するしかない番組を保存、あるいは保存しての再視聴に耐えうる画質で番組を保存できる録画装置を提供することを目的とする。
【０００８】
【課題を解決するための手段】
この目的を達成するため本発明の録画装置は、放送波の全チャンネルを選曲する全チャンネルチューナと、ローカル録画制御器の録画制御情報をインターネット又は専用回線を介して通信をするマスター録画制御器と、マスター録画制御器の制御により全チャンネルチューナで選曲する番組を録画するマスター番組録画器と、マスター録画制御器の制御によりマスター番組録画器に録画番組の一部から所定の仕様のパッケージメディアを製作するパケージメディア製作器と、放送波の所定のチャンネルを選曲するチューナと、マスター録画制御器の録画予約情報などの録画制御情報をインターネット又は専用回線を介して通信をするローカル録画制御器と、ローカル録画制御器の制御によりチューナで選曲する番組を録画するローカル番組録画器とを備えている。
【０００９】
本発明は上記した構成により、以下のような作用がある。例えば、マスター録画制御器を管理する甲は、ローカル録画制御器を所有する乙と契約を結び、乙が甲に契約料を支払うことにより甲は乙にサービスを提供する。サービスとは、例えば、甲は乙にとって視聴価値のありそうな番組情報を乙に提供したり、乙の嗜好する番組キーワードをもとに関連番組情報を収集し、ローカル番組録画器に録画する番組予約情報を提供することである。その契約を実施すると必然的にマスター録画制御器はローカル番組録画器の録画する番組予約情報を把握している。
その番組予約情報にもとづきマスター番組録画器はその全番組を常に録画しておく。乙が多数存在し甲との契約数が多数あれば受信アンテナで受信する全チャンネルをあらかじめ、ローカル番組録画器と比較して十分大きな録画容量のマスター番組録画器に録画してもよい。その際アナログ放送波であれば保存に耐えうるデジタル圧縮率でマスター番組録画器に録画する。ローカル録画制御器はローカル番組録画器で記録した番組の中で保存したい番組と保存するパッケージメディアの仕様をインターネットまたは専用回線でマスター録画制御器へ通知し、それらの情報に基づきマスター録画制御器は、あらかじめマスター番組録画器が録画している番組の中から前記の保存したい番組を選択しパッケージメディア製作器で保存したい仕様でパッケージメディアを製作する。そのパッケージメディアを映像音声再生器で再生すれば視聴できるし、ローカル番組録画器の録画容量に左右されることなくそのパッケージメディアを長期にわたり保存できるという作用である。
【００１０】
【発明の実施の形態】
（実施の形態１）
以下、本発明における録画装置の実施の形態１について、図面を参照しながら説明する。
【００１１】
図１は本発明の実施の形態１における録画装置の構成を示すブロック図である。ただし図２に示した従来の録画装置と同じ構成要素には同一符号を付し、またその動作説明は省略する。地上波放送や衛星放送を受信する受信アンテナ１０１出力を全チャンネルチューナ１０２で全チャンネルを選局する。マスター録画制御器１０３はインターネット又は専用回線２０３をとおしてローカル録画制御器２０５の番組録画情報等を得ているのであらかじめその全番組をマスター番組録画器１０５に録画する。ローカル番組録画器２０８の記録した番組で保存したい番組と保存するパッケージメディアの仕様を接続装置２０４及び２０２を通してインターネットまたは専用回線２０３でマスター録画制御器１０３へ通知する。
それらの情報に基づきマスター録画制御器１０３は、前記のようにスター番組録画器１０５の録画している番組を、パッケージメディア製作器１０４で所定の仕様でパッケージメディアを製作する。
【００１２】
以上のように本発明は以下のような効果がある。ローカル録画制御器２０５はローカル番組録画器２０８で記録した番組で保存したい番組と保存するパッケージメディアの仕様をインターネットまたは専用回線２０３でマスター録画制御器１０３へ通知し、それらの情報に基づきマスター録画制御器１０３は、あらかじめマスター番組録画器１０５が録画している番組の中から前記の保存したい番組を選択しパッケージメディア製作器１０４で保存したい仕様でパッケージメディアを製作する。そのパッケージメディアを映像音声再生器２０９で再生すれば視聴できるし、ローカル番組録画器２０８の録画容量に左右されることなくそのパッケージメディアを長期にわたり保存できる。
【００１３】
このように、本発明によれば録画装置を具現化する際、ローカル番組録画器の録画する番組を簡単にパッケージメディアに保存することができ、従ってローカル番組録画器に録画した番組で長期保存したい番組でも問題なく消去することができる録画装置を提供できるので、工業的価値は極めて大きい。
【００１４】
【発明の効果】
以上のように本発明は、録画装置を具現化する際、ローカル番組録画器の録画する番組を簡単にパッケージメディアに保存することができ、従ってローカル番組録画器に録画した番組で長期保存したい番組でも問題なく消去することができるという優れた効果を有する。
【図面の簡単な説明】
【図１】本発明における実施の形態１の録画装置の構成を示すブロック図
【図２】従来の録画装置の構成を示すブロック図
【符号の説明】
１０１  受信アンテナ
１０２  全チャンネルチューナ
１０３  マスター録画制御器
１０４  パッケージメディア製作器
１０５  マスター番組録画器
【図１】
2004304219.tif 000003
【図２】
2004304219.tif 000004